(57)【要約】 【課題】器具の脚部が設置面に対して傾斜していても、接地部を確実に接地できる脚キャップを提供する。【解決手段】器具の脚部に装着する脚キャップ１０であって、前記脚部の端部に嵌着する有底筒状の外挿部１と、当該外挿部１の底部に設けた接地部２とで構成し、且つ、前記外挿部１と前記接地部２との繋ぎ部３に括れ部３ａを設け、繋ぎ部３に可撓み性を持たせている。【選択図】図１
2008073322.tif 000002
【特許請求の範囲】
【請求項１】
器具の脚部に装着する脚キャップであって、
前記脚部の端部に嵌着される筒状の外挿部と、繋ぎ部を介して当該外挿部の底部に設けられた接地部とで構成され、
且つ、前記外挿部と前記接地部との繋ぎ部に括れ部が設けられていることを特徴とする脚キャップ。
【請求項２】
前記接地部の接地面に複数の環状溝部が同心状に設けられていることを特徴とする請求項１に記載の脚キャップ。
【請求項３】
脚部に、請求項１または請求項２の何れかに記載の脚キャップを装着して成ることを特徴とする壁面立て掛け型の物干しスタンド。
【発明の詳細な説明】
【技術分野】
【０００１】
本発明は、脚部が設置面に対して傾斜していても安定して接地できる脚キャップ、およびこれを用いた物干しスタンドに関するものである。
【背景技術】
【０００２】
従来より、設置面の傷つき防止や滑り止めに家具、椅子、スタンド等、各種器具類の脚端に被せて使用する有底筒状の外挿部と、底部の接地部とで構成される脚キャップが知られている（例えば、特許文献１）。
【０００３】
ところで、このような脚キャップを使用するに当たり、器具類の脚部が設置面（床面や壁面）に対して垂直でなく幾分斜めに起立している場合は、接地部の接地面（接地部の裏面）の全面を設置面に接地できないため、安定性にか欠けるという問題があった。
尚、特許文献１のように、脚キャップの接地面を脚部の起立角度に合わせて傾斜させた専用の脚キャップを用意することも考えられるが、この方法は、脚キャップの品揃えを増やすことになり、汎用性に欠けるという欠点がある。
【特許文献１】実開昭５８−１６４５４７号公報
【発明の開示】
【発明が解決しようとする課題】
【０００４】
本発明は、上記問題に鑑み成されたもので、器具の脚部が設置面に対して傾斜していても接地部を安定して接地できる脚キャップ、およびこれを用いた物干しスタンドを提供することを目的としている。
【課題を解決するための手段】
【０００５】
すなわち、請求項１に記載の発明は、器具の脚部に装着する脚ヤップであって、前記脚部の端部に嵌着される筒状の外挿部と、繋ぎ部を介して当該外挿部の底部に設けられた接地部とで構成され、且つ、前記外挿部と前記接地部との繋ぎ部に括れ部が設けられていることを特徴としている。
【０００６】
また、請求項２に記載の発明は、請求項１に記載の脚キャップにおいて、前記接地部の接地面に複数の環状溝部が同心状に設けられていることを特徴としている。
【０００７】
また、請求項３に記載の物干しスタンドは、脚部に、請求項１または請求項２の何れかに記載の脚キャップを装着して成ることを特徴としている。
【発明の効果】
【０００８】
請求項１に記載の発明によれば、外挿部と接地部と繋ぎ部に括れ部を設けたので、繋ぎ部に可撓性を持たせることができ、よって、器具の脚部が設置面に対して傾斜していても、可撓性のある繋ぎ部が脚部の起立角度に応じて自在に撓むことによって接地面の全面を設置面に対して確実に接地させることができるため、器具を安定して設置することができる。ここで、設置面とは、器具が設置される床面や壁面を示す。
【０００９】
また、請求項２に記載の発明によれば、脚キャップの接地面に複数の環状溝部を同心状に設けたので、接地部の全面に柔軟性が付与されることに加え、環状溝部による吸着作用より、設置面と接地部の接地面との密着性が向上し、器具をより安定した状態で設置することができる。
【００１０】
また、請求項３に記載の発明によれば、物干しスタンドの脚部に、請求項１、請求項２に記載の脚キャップを装着したので、床側の脚キャップ、壁側の脚キャップの何れにおいても、各脚部の傾斜角度に対応して繋ぎ部が自在に撓むことに加え、接地部の柔軟性と接地面の吸着性により生じる優れた密着性により、物干しスタンドを安定した状態で立て掛けておくことができる。
【発明を実施するための最良の形態】
【００１１】
以下、図１〜図３に基づいて本発明の脚キャップの実施形態を説明する。
図１は本実施形態による脚キャップの縦断面を示し、図２は同、脚キャップの裏面を示し、図３は同、脚キャップの装着状態を示している。
【００１２】
図１、図２に示すように、本実施形態の脚キャップ１０は、有底円筒状の外挿部１と、この外挿部１の底部に一体的に設けられ、中央部より周縁部に向けて徐々に薄肉と成される円板状の接地部２とで構成され、且つ、外挿部１と接地部２の繋ぎ部３に括れ部３ａ（狭窄部）を設けて、外挿部１と接地部２の繋ぎ部３に可撓性を持たせている。また、接地部２の接地面２ａ（接地面と当接する接地部２の裏面）には、環状の凹溝４が複数同心状に設けられている。
この脚キャップ１０の素材としては、エラストマー、合成ゴム等の弾性部材が使用されている。
【００１３】
上記構成の脚キャップ１を使用するには、図３に示すように、器具の各脚部５の端部に外挿部１を挿入して、脚キャップ１０を器具の脚部５に嵌着する。
【００１４】
この時、図３に示すように、器具の脚部５が床面に対して垂直に起立せずに幾分傾斜していて脚キャップ１０の接地面２ａと床面とが幾分角度を持って接触するような場合でも、可撓性のある繋ぎ部３が脚部５の起立角度に応じて自在に撓むため、接地面２ａの全面を確実に床面に接地させることができ、その結果、器具を安定した状態に設置することができる。
【００１５】
加えて、接地面２ａには、環状の凹溝４が複数同心状に設けられているため、この凹溝４によって接地部２の全面に柔軟性が付与されることに加え、これら凹溝４の負圧作用による吸着効果で床面と接地面２ａの密着性が向上し、器具をより安定的に設置することができるようになる。
【００１６】
このように、本実施形態の脚キャップ１０は、脚部５の起立角度に左右されることなく、器具を安定した状態で設置することができるものである。よって、脚部５の起立角度に合わせて傾斜させた接地面２ａを備える多種多様な脚キャップを品揃えすることなく、必要最小限の品揃えにて様々な脚付き器具に幅広く適用して使用することができる。
【００１７】
また、本実施形態では、円筒状の脚キャップ１０について説明したが、これに限定されるものではなく、角筒状の脚キャップ１０に適用できることは勿論であり、この場合も、有底角筒状の外挿部１と、その底部の接地部２との繋ぎ部３に括れ部３ａが形成されている。
【００１８】
次に、本実施形態の脚キャップ１０を使用した壁面Ｗ立て掛け型の物干しスタンド２０を図４に基づいて説明する。
図４に示すように、本実施形態の物干しスタンド２０は、一定の間隔を持って縦方向に延設された一対のパイプ製の縦部材２１、２１と、これら縦部材２１間に一定の間隔を持って橋架された複数（３本）のパイプ製の横部材２２、２２、２２とで構成され、且つ、一対の縦部材２１が上端部分において立て掛け方向（壁面Ｗ側）に湾曲されている。縦部材２１と横部材２２の各端部は連結用のＴ型パイプ２３により連結・固定されている。
そして、この物干しスタンド２０の縦部材２１の各端部、すなわち、床面Ｆ側の脚部２１ａ、２１ａおよび壁面Ｗ側の脚部２１ｂ、２１ｂのそれぞれには、上述した本実施形態の脚キャップ１０が装着されている。
【００１９】
また、構造上、この種の壁面立て掛け型では、物干しスタンド２０を壁面Ｗに立て掛けた状態で、脚部２１ａ、２１ａが床面Ｆに対し、また、脚部２１ｂ、２１ｂが壁面Ｗに対してそれぞれ幾分傾斜した状態となり、且つ、その傾斜の程度も壁面Ｗへの立て掛け角度によって様々に変わるものであるが、本実施形態の脚キャップ１０では、これらの繋ぎ部３が各脚部２１ａ、２１ｂの傾き応じて自在に撓むため、接地面２ａの全面を常に床面Ｆと壁面Ｗに確実に接地させることができると共に、接地面２ａの凹溝４による接地部２の柔軟性に加え、接地面２ａの奏する吸着性により、物干しスタンド２０を安定した状態で設置することができる。
【００２０】
本実施形態の物干しスタンド２０では、図示のように、上部の湾曲部分に橋架された横部材２２にハンガー等の吊下具３０を引っ掛けておくと、壁面Ｆとスタンドとの間に生じたスペースを効率良く利用して衣類を吊り下げられるので都合が良い。また、その下段の横部材２２にはバスタオル等を引っ掛けておくことができるが、湾曲部の形成により、上記吊下具３０に引っ掛けた衣類がこれらバスタオルに触れたりして、邪魔になることはない。
【図面の簡単な説明】
【００２１】
【図１】本発明による脚キャップの縦断面図。
【図２】図１の脚キャップの裏面図。
【図３】本発明による脚キャップの装着状態を示す要部斜視図。
【図４】本発明による脚キャップを用いた物干しスタンドの設置状態を示す斜視図。
【符号の説明】
【００２２】
１  外挿部
２  接地部
２ａ  接地面
３  括れ部
４  環状溝部（凹溝）
５  脚部
１０  脚キャップ
２０  器具（物干しスタンド）
【図１】
2008073322.tif 000003
【図２】
2008073322.tif 000004
【図３】
2008073322.tif 000005
【図４】
2008073322.tif 000006